(57)【要約】本発明は、ヒト体、動物、機器や器具などの１つまたは複数の対象からの、または、特に、記録が動作を妨害してはならず、また他の動作が記録を妨害したり、記録を取っている対象へ害を及ぼしたりしてはならない、ＭＲＩ環境などの環境にある機器や器具からの、ＥＥＧ、ＥＣＧおよびＥＭＧなどの信号の記録に用いることのできる方法および手段を含む設備に関するものであって、変換器（Ｔｌ、Ｔ２）およびそれに取付けられた信号手段（ＳＣ、ＲＴＩ、ＲＴ２）に、伝送ライン（ＴＬＳ、ＴＬ１、ＴＬ２）および少なくとも１つのアイソレーション手段（ＩＳＯＬＡＴＩＯＮ）を介して駆動エネルギーが供給され、その駆動エネルギーの伝送が、妨害を行う電磁エネルギーの周波数より本質的に高い無線周波数で行われることを特徴とする設備に関する。
2004527843.tif 000002
【特許請求の範囲】
【請求項１】
航空機、自動車、工業設備、磁気共鳴映像法ユニット、集中治療ユニット、および手術室内などのような騒音環境において、変換器（Ｔ１、Ｔ２）を用いて対象（Ｐ）からＥＥＧおよびＥＣＧなどのような信号を記録する装置であって、前記騒音環境では際立った他の電磁エネルギーが出現して前記装置へ結合し、信号の使用を考慮するとその利用価値が低下するか、または結合することで対象（Ｐ）に損傷を与える危険性が高まるものである、前記装置において、変換器（Ｔ１、Ｔ２）およびこれに取り付けられた信号手段（ＳＣ、ＲＴ１、ＲＴ２）に、伝送ライン（ＴＬＳ、ＴＬ１、ＴＬ２）を介しておよび少なくとも１つのアイソレーション手段（ＩＳＯＬＡＴＩＯＮ）を介して駆動エネルギーが供給され、前記駆動エネルギーの伝送が、記録される信号の周波数および前記他の電磁エネルギーの周波数より本質的に高い無線周波数で行われることを特徴とする装置。
【請求項２】
必要なアイソレーションの少なくとも一部が伝送ライン（ＴＬＳ、ＴＬ１、ＴＬ２）において行われるものであり、アイソレーション手段（ＩＳＯＬＡＴＩＯＮ）が、例えば容量性（Ｃ、Ｃ１）結合エレメントまたは誘導性結合エレメントなどのような、電磁界を介して電磁エネルギーを伝送する少なくとも１つの結合エレメントを含むことを特徴とする、請求項１に記載の装置。
【請求項３】
アイソレーション手段（ＩＳＯＬＡＴＩＯＮ）が容量性結合エレメント（Ｃ、Ｃ１）を含み、更に、例えば誘導性エレメント（Ｌ、Ｌ１）などのような結合インピーダンスを低減するエレメントを含み、このエレメントは、前記容量性結合エレメント（Ｃ１）に直列に結合され、最終的には前記誘導性エレメント（Ｌ１）と並列にもう１つの容量性エレメント（Ｃ２）を具備し、これが、磁気共鳴映像装置の励起周波数や電気ナイフの動作周波数などのような、環境に出現する干渉周波数の１つである周波数で前記誘導性エレメント（Ｌ１）と並列の共振を発生させることを特徴とする、請求項１または２の何れかに記載の装置。
【請求項４】
伝送ライン（ＴＬ、ＴＬＳ）に、伝送ラインを２本以上の伝送ライン（ＴＬ１、ＴＬ２）に分割するための手段（ＳＰＬ１、ＳＰＬ２）を取付けることができることを特徴とする、請求項１ないし３の何れかに記載の装置。
【請求項５】
記録した信号の中央ユニット（ＣＵ、ＴＲ３）への伝送を別の伝送路（ＴＬ２）を介して実施し、この伝送路は、例えば、ラジオ、磁界、超音波、または赤外線などによる無線通信とすることができることを特徴とする、請求項１ないし４の何れかに記載の装置。
【請求項６】
記録した信号の中央ユニット（ＣＵ、ＴＲ３）への伝送を、信号手段（ＳＣ、ＲＴ１、ＲＴ２）用の電力伝送ラインと同じ伝送路を介して、また、有利に、同じアイソレーション手段（ＩＳＯＬＡＴＩＯＮ）を介して実施することを特徴とする、請求項１ないし４に記載の装置。
【請求項７】
装置の電力手段（ＰＯＳＣ、ＰＡ）の動作が、時間的に不連続で実施されることを特徴とする、請求項１ないし６の何れかに記載の装置。
【請求項８】
記録手段（ＴＲＩ１、ＴＲＩ２）が、情報の記憶用に、例えばフラッシュメモリなどのような半導体メモリなどの記憶手段を含むことを特徴とする、請求項１ないし７の何れかに記載の装置。
【請求項９】
振幅、周波数、位相、スペクトル拡散、ＯＦＤＭおよび超広帯域幅変調の変調方法のうちの１つまたは複数を用いて、必要とされる信頼性および信号帯域幅が得られるように、信号を信号手段（ＳＣ、ＲＴ１、ＲＴ２）により変調することを特徴とする、請求項１ないし８の何れかに記載の装置。
【請求項１０】
装置のブロック（ＣＵ、ＴＲＩ１、ＴＲＩ２）の少なくとも１つが、インターネットまたはブルートゥース規格に従ったピコネットワークなどのような少なくとも１つのデータネットワークへ接続されることを特徴とする、請求項１ないし９の何れかに記載の装置。
【請求項１１】
装置のユニット（Ａ、ＳＣ、ＣＵ、ＴＲＩ１、ＴＲＩ２）の少なくとも１つが制御され得るものであり、例えば利得や帯域幅などのような動作特性が、インターネットやブルートゥース規格に従ったピコネットワークなどのような、広域またはローカルのネットワークであるデータネットワークを介して変更され得るように構成されることを特徴とする、請求項１ないし１０の何れかに記載の装置。
【請求項１２】
装置の少なくとも一部が、衣類（ＣＬ）、ダイビング手段、防護手段、患者用ベッド（ＢＥＤ）などのような、ヒトや動物に携帯される又は密接に関わる手段に配置され、ヒト体、動物の体（Ｐ）、例えばガスボトルなどのような携帯されるデバイス、および環境のうちの１つまたは複数から得られる情報を記録するための１つまたは複数の変換器手段（ＴＵ１、ＴＵ２）を含むことを特徴とする、請求項１ないし１１の何れかに記載の装置。
【請求項１３】
外科手術、集中治療、核磁気共鳴映像法などの医療診断または治療活動を受けているヒト（Ｐ）からの生理学的信号を監視するために使用されることを特徴とする、請求項１ないし１２の何れかに記載の装置。
【請求項１４】
例えば核磁気共鳴映像装置に近接させるときのように、例えば増幅器（ＡＭＰＬＩＦＩＥＲＳ）などの記録ユニットが電極（ＥＬＥＣＴＲＯＤＥＳ）などの変換器（Ｔ１、Ｔ２）に近接することを、環境により要求されるときに、フリップチップ、接着およびボンディングの技術の１つまたは複数を用いて近接させることを特徴とする、請求項１ないし１３の何れかに記載の装置。
【請求項１５】
装置の中央ユニット（ＣＵ）が、有線の伝送路または無線の伝送路（ＣＰ１）を介して、患者監視システムや電話ネットワークなどの他のシステムの或る手段（ＣＰＭ、ＴＤ）に接続されることを特徴とする、請求項１ないし１４の何れかに記載の装置。
【請求項１６】
装置のユニットの少なくとも１つが、例えば、移動電話、潜水用コンピュータなどのリストコンピュータ、または患者監視システムの手段（ＣＰＭ）などの他のシステムの含む手段などのような端末装置（ＴＤ）を用いて、接続されたネットワークのプロトコル、例えばＷＡＰプロトコルなど、に従ったコマンドを用いて制御され得るように構成されることを特徴とする、請求項１ないし１５の何れかに記載の装置。
【請求項１７】
伝送ライン（ＴＬ、ＴＬ１、ＴＬ２）の少なくとも何れかの部分に、伝送ラインの導体部分（ＩＣ１、ＩＣ２、ＯＣ１、ＯＣ２）を接触させる接触面と、例えば、磁石、ネジ、ベイル、バイオネットまたはベルクロ（登録商標）テープなどのような、接続部（ＭＧ１、ＭＧ２）を固定する手段とを含む１つまたは複数のコネクタ（ＣＯＮ）が具備されることを特徴とする、請求項１ないし１６の何れかに記載の装置。
【請求項１８】
伝送ライン（ＴＬ）が、例えば、カテーテル（ＣＡＴ）、または表面または内部コイルなどの核磁気共鳴映像装置の信号コイル手段などのような、本質的に柔軟な構造の構成部分であり、これは少なくとも、例えばＮＭＲ信号などの記録すべき信号を検出し（ＴＲＡＮＳ）、信号を処理し（ＳＣ）、アイソレーション（ＩＳＯＬＡＴＩＯＮ）を介して伝送する手段と、必要な電力手段（Ｄ１、Ｃ１）とを含む少なくとも１つの部分（ＴＩＰ）を含むことを特徴とする、請求項１ないし１７の何れかに記載の装置。
【請求項１９】
装置の記録ユニットの少なくとも１つが、例えばＣＭＯＳまたはＣＣＤ回路などのような、画像情報を収集する手段を含むことを特徴とする、請求項１ないし１８の何れかに記載の装置。
【請求項２０】
歯列や関節のＸ線撮影などのようなＸ線撮影に使用されることを特徴とする、請求項１ないし１９の何れかに記載の装置。
【請求項２１】
記録手段が、レーザやドリル手段、オーバーハウザー現象を発生する手段、電子スピン共鳴を検出する手段、ハイパーサーミア療法の手段、または照明手段などのような１つまたは複数の動作手段を含むことを特徴とする、請求項１ないし２０の何れかに記載の装置。
【発明の詳細な説明】
【技術分野】
【０００１】
本発明は、ヒト体、動物、機器または器具などの１つまたは複数の対象から、ＥＥＧ、ＥＣＧおよびＥＭＧなどの信号を記録し、または、機器や器具から、温度、圧力や音に関する情報を含む信号などの信号を記録し、その信号に関連する情報をローカルネットワークまたは広域ネットワークを介して送信して、信号に関連する情報を動作の制御に利用し、信号の記録に関連する動作を制御するために用いることのできる方法および手段を含む設備に関する。
【背景技術】
【０００２】
以下の記載において、対象とは、概して、ある種の信号をそこから記録するもの、および／または動作手段に付随するものであり、それは制御可能であり、制御時に、それから記録した信号から得られた情報を利用できるものをいう。
【０００３】
従って、この対象は、ヒトである場合も、動物である場合も、装置または器具である場合もある。
実際、対象からの信号を記録して、その信号から得られた情報をさまざまに利用したい状況がある。変換器（トランスデューサ）とそれに接続されたユニットが、相互にまた周囲とも異なる電位にある計測装備では、電圧の差異によりコモンモード電流が発生する。この場合、コモンモード電流の通路は、ユーティリティ信号用の１つまたは複数の導体として働くだけでなく、ユニットと周囲との間で漂遊容量を通過させる結合を含む少なくとも１つまたは複数の通路として働く。この通路の一例が器具のアースである。こうしたコモンモード電流により、多くの信号の記録および操作手段の制御に対する電磁干渉が発生する。コモンモード電流およびそれに伴うコモンモード電圧が強いと、器具が破損しかねず、利用者や検査中である対象に害が及ぶ可能性もある。
【０００４】
数種類の信号を記録しなければならない場合も多い。こうした対象の例が患者であり、外科手術の間に、患者の信号からＥＣＧおよび血圧ＢＰを用いて心臓機能をモニタすることができる。更に、ＥＭＧを用いれば、筋弛緩レベルをモニタすることができる。麻酔の深さをモニタするには、脳からの電気信号ＥＥＧを用い、血液の酸素飽和度をモニタするには、パルスオキシメトリを用いればよい。救急治療部でもこれに対応するモニタリングは行われており、病棟ではこれがさまざまに組合わされる。家庭での健康管理が普及するにつれ、この種のモニタリングは、自宅および療養所でも行われている。信号を記録し、患者をモニタするのに必要な装備を製造している企業の例として、フィンランドのヘルシンキにあるインストルメンタリウム社（Ｉｎｓｔｒｕｍｅｎｔａｒｉｕｍ  Ｌｔｄ）、デイテックス−オーメダ・ディビジョン（Ｄａｔｅｘ−Ｏｈｍｅｄａ  Ｄｉｖｉｓｉｏｎ）が挙げられる。
【０００５】
信号記録の基本事項はジェー・ジー・ウェブスター（Ｊ．Ｇ．Ｗｅｂｓｔｅｒ）（Ｅｄｉｔｏｒ（編者））の  Ｍｅｄｉｃａｌ  Ｉｎｓｔｒｕｍｅｎｔａｔｉｏｎ  Ａｐｐｌｉｃａｔｉｏｎ  ａｎｄ  Ｄｅｓｉｇｎ（医療装置の応用および設計）、第３版、Ｊｏｈｎ  Ｗｉｌｅｙ＆Ｓｏｎｓ，  Ｎｅｗ  Ｙｏｒｋ  １９９８、に記載されている。この本の第２３３〜２８６ページで、生体電位とこれに関連する課題が論議され、第６２３〜６５８ページで、電気的な安全性について議論されている。安全上の理由から、また、電気的干渉を低減するため、米国のアナログ・デバイセス社（Ａｎａｌｏｇ  Ｄｅｖｉｃｅｓ  Ｉｎｃ．）、および米国のバー・ブラウン社（Ｂｕｒｒ  Ｂｒｏｗｎ  Ｉｎｃ．）などが製造しているアイソレーションアンプ（緩衝増幅器）を適用することが多い。記録を行うと、これに付随して、対象や周囲から干渉が起こる。また、記録自体も、他の活動に干渉する可能性がある。こうした状況の一例が磁気共鳴映像法である。磁気共鳴映像法を実施している間、たいていはヒト体である対象に対して、共振周波数で電磁照射を当てる。この周波数は、磁気共鳴映像ユニットの磁界強度が１Ｔであれば約４２ＭＨｚであり、標的としての核は、水素原子の核すなわちプロトン（陽子）である。磁界強度が３Ｔの場合、陽子の共振周波数は約１３０ＭＨｚとなる。磁気共鳴映像法の方法および装置については、例えば、刊行物であるＳｅｐｐｏｎｅｎ  ＲＥ：  ＵＳ５５９２０８４に記載されており、これとその参照は本明細書でも参照される。
【０００６】
磁気共鳴映像法における励起パルスは、ピーク電力が高く、数キロワットにもなり、撮影処理の間にこれが何百回も繰り返される。脳からの電気信号、すなわちＥＥＧ信号などを記録しようとすると、これらのパルスと撮影に必要な傾斜パルスとが簡単に干渉を起こしてしまう。磁界強度が高いため、患者の動きは、心臓の鼓動さえもケーブルにノイズ電圧を発生させてしまう。
【０００７】
電極を通る電流が、電極下に置かれた組織に熱傷を負わせる場合がある。このため、さまざまな解決策を用いて、記録装置を周囲から隔離する試みがなされている。その従来技術の例として、さまざまな光学、無線、超音波による解決策が挙げられ、これらは参照文献であるＵＳ４７３７７１２、ＵＳ４７６３０７５、ＵＳ５３２３７７６、ＵＳ５３９４８７３、ＵＳ５４４５１６２、ＵＳ５７３３２４７、ＵＳ６０３４０６３およびＵＳ６１９８２８７に記載されている。これらは従来技術として参照している。数メガヘルツでの干渉が起こるもう１つの環境例が手術室である。電気ナイフが適用されると強い干渉が起こるため、良好なアイソレーション（分離）およびノイズ抑制性能を有する増幅器を備える必要がある。救急車の場合、無線電話機がＥＣＧなどの生体信号の記録を妨害する可能性がある。この強いノイズ源となるのは、ＧＳＭおよびＴＥＴＲＡ電話である。従って、病院内、特に、装備動作の信頼性が重要な場所での無線電話機の使用は認められていない。同様に、航空機内での電話の使用も認められておらず、その使用は、装備動作の信頼性が重要な産業場所および他の場所では制限されることが考慮されている。
【０００８】
Ｘ線装置、特に、歯や顎の組織などの口腔内対象の撮影を目的とするいわゆる口腔内装置では、ＣＣＤやＣＭＯＳベースの変換器（トランスジューサ）などが使用され始めている。これらを使用する場合、放射線技師がその画像の成立を確認し、次の撮像が必要かどうかを判断できるように、この変換器から中央処理ユニットへ素早く情報を伝送しなければならない。変換器へは動作用のエネルギーを供給しなければならないず、また中央処理ユニットへ高速の信号を伝送しなければならない。安全性を確保するため、変換器を周囲から電気的に隔離しなければならない。更に、Ｘ線源からは、Ｘ線管の高電圧発生装置から発生したノイズ電圧が結合する可能性がある。これは、変換器と中央処理ユニットとの間に無線伝送を利用し、動作エネルギーを電池や蓄電池で供給すれば解決することができる。しかし、この解決策では、電池が大きくなり、無線伝送に妨害が入り得るという問題があり、これにより画質が下がり、再度スキャンするために患者に照射を当てて不必要な負担を増やす結果になりかねない。
【０００９】
現在の解決策には実際のいくつかの問題点がある。光学的なアイソレーションは電磁エネルギーの結合防止に有効であるが、技術的には不便な解決策である場合が多い。隔離部分には電池、蓄電池または光電池でエネルギーを供給しなければならないが、これらの電力変換率は低い。光信号の変調も複雑であり、そのためにチャネル数は少ないままであり、その増減は容易ではない。変換の結合を用いるアイソレーションは、低周波数のみに対して良好に機能するが、それは、一次巻き線と二次巻き線との間のキャパシタンスが大きいからである。アイソレーションアンプは、米国のバー・ブラウン社およびアナログ・デバイセス社などで製造されている。
【発明の開示】
【発明が解決しようとする課題】
【００１０】
現在の解決策における課題は、アイソレーションをいかに有利に提供して、正面段に周囲との著しいキャパシタンスを持たせずに、信号および電力を伝送できるかということである。このキャパシタンスを最小限に抑えることは、上述で説明したように、信号をノイズなしで記録すること、および安全確保の面から重要である。現行の解決策では、数多くのケーブルが必要な場合が多い。これは、患者のモニタリング、とりわけ外科手術時のモニタリングでは明らかに不便である。これと同じ問題は他にも、工業、自動車および航空機の電子回路などの計測装置でも起こっている。
【課題を解決するための手段】
【００１１】
本発明の装置を用いることで、上述した問題を解決することができる。
本発明の装置の特徴は、添付した請求の範囲に記載された通りである。
本発明は以下の図面に例示される。
【発明を実施するための最良の形態】
【００１２】
図１は、マルチパラメータ記録を実行するための現行の方法を示す。この例におけるパラメータは、ＥＣＧ、すなわち心臓からの電気信号と、ＥＥＧ、すなわち脳からの電気信号と、ＰＯＸ、すなわちパルスオキシメトリによる血液の酸素飽和度測定値と、ＥＭＧ、すなわち筋肉からの電気信号とである。これらは、例えば、外科手術時に患者から記録される信号である。それぞれの測定量に対する現行の方法によれば、アイソレーションを含む専用の信号調整ユニットＳＣＩ（信号調整＋アイソレーション）にゆだねられている。この信号調整ユニットを介して、処理された信号は各信号に対する信号記録ユニット、すなわちＥＣＧユニット（ＥＣＧ  ＵＮＩＴ）、ＥＥＧユニット（ＥＥＧ  ＵＮＩＴ）、オキシメータ・ユニット（ＯＸＩＭＥＴＥＲ  ＵＮＩＴ）、ＥＭＧユニット（ＥＭＧ  ＵＮＩＴ）へ伝えられる。それらから、これらの信号は表示ユニット（ＤＩＳＰＬＡＹ）または記憶ユニット（ＤＡＴＡ  ＳＴＯＲＡＧＥ）へ伝導され、最後にデータネットワーク（ＮＥＴＷＯＲＫ）へ伝送されることができる。この記録ユニットはモジュールになっている場合が多く、モジュールは、必要なだけの数を装置ラックに適用される。装置ラック内には、中央処理装置と、表示ユニット、キーボードおよびデータネットワークへの接続部とがある。この種のシステムは、上述したように、インストルメンタリウム社／デイテックス−オーメダ部（フィンランド）などで製造されている。記録ユニットで記録された信号を、特定の中央ユニットへ伝導することができ、このユニットは、信号の処理および限界値のモニタリングの機能を含むことができ、例えば、警報信号を発することもできる。この解決策の欠点は、キャパシタンスが大きいことであり、それにより、例えば電気ナイフで行われる外科手術などの場合に干渉を結合してしまう危険性があることであり、また、患者用のケーブルが多数必要である。
【００１３】
図２は、図１の例に対応する、本発明による複数パラメータ記録システムの一例を示す。信号は、共通の伝送ラインＴＬを介して中央ユニット（ＣＥＮＴＲＡＬ  ＵＮＩＴ）へ伝導される。このラインには、中央ユニットから伝送された電力を信号調整ユニットに供給することと、信号調整ユニットから伝送された信号を受信することとの、２つの役割がある。中央ユニットはまた、信号調整ユニットのさまざまな部分の動作を制御することができ、それらの信号は伝送ラインを通じて伝送する。ＳＣＩは、信号処理手段およびアイソレーション（分離）の手段を含む。
【００１４】
図３は、２つの信号を記録するための本発明による装置を示す。信号は変換器Ｔ１およびＴ２を用いて記録される。変換器（トランスデューサ）は信号処理手段ＳＣ１およびＳＣ２にそれぞれ接続される。ＳＣ１およびＳＣ２は、アイソレーション手段ＴＲＩ１およびＴＲＩ２を含む接続回路に接続される。これらのアイソレーション手段を介して、電力および信号の伝送が行われる。以下、信号調整手段ＳＣ１およびＳＣ２と接続手段ＴＲ１およびＴＲ２とを合わせて信号手段とする。伝送ラインＴＬには、２つの接続回路ＳＰＬ１およびＳＰＬ２（スプリッタ）がある。中央ユニットＣＵは、送信／受信回路ＴＲ３を介して伝送ラインＴＬに接続される。ＴＲ３は必ずしもアイソレーションを具備していなくてもよい。電力は、電力発振器ＰＯＳＣ（ｐｏｗｅｒ  ｏｓｃｉｌｌａｔｏｒ）から整合手段ＭＣ（整合回路）および伝送ラインＴＬを介して、少なくとも変換器および信号手段Ｔ１、Ｔ２、ＳＣ１、ＳＣ２、ＴＲＩ１およびＴＲＩ２へ供給される。ＰＯＳＣの動作周波数は、周囲に現れる著しい電磁干渉の周波数と比較すると高いものであり、例えば１ＧＨｚを超える。送信および受信回路を、いわゆるブルートゥース（Ｂｌｕｅｔｏｏｔｈ）技法を用いて実現することができる。これに関連する回路は、スウェーデンのエリクソン・エービー社（Ｅｒｉｃｓｓｏｎ  ＡＢ）などの数社が製造している。ＰＯＳＣを、移動電話に適用されるコンポーネントを用いて実現してもよい。例えば、生体信号の記録に用いる回路に必要な駆動電力はわずかであるため、数多くの測定量に対するシステムでは、１ワットの駆動電力があれば十分な場合が多い。例えば高感度測定活動のときに必要であれば、ＰＯＳＣを時間単位で動作させてもよい。この場合も、ＰＯＳＣが生成する信号の帯域幅が狭ければ有利である。
【００１５】
図４は、変換器、送信／受信ユニットおよびアイソレーションに接続される信号調整ユニットの一例を示すブロック図である。変換器Ｔ１およびＴＮから得られる信号は、増幅され、回路Ａ１およびＡＮでフィルタリングされる。変換器として、必要数の変換器Ｔ１、ＴＮを具備することができる。処理ユニットＣＰＵは、適したマイクロコントローラを用いて実現することができる。このＣＰＵが多重化回路ＭＵＸを制御し、このＭＵＸは、さまざまな製造業者から入手可能な既製のマイクロ回路およびアナログスイッチで実現可能である。ＭＵＸに、アナログ−デジタル変換器を含めることができる。回路ＢＴは、ブルートゥース式の送受信器回路を用いて実現されている。これらの回路のすべては、整流器および安定化回路ＰＳ（電源）から電力を得るものであり、これは、接続部ＣＯＮ１（接続部）からの電力を駆動電力に転換するために用いる切換えモード電源回路を含めることができる。電力を接続部ＣＯＮ１へ伝導するには、同軸ケーブルを用いるとよい。この図のアイソレーションは、２つのコンデンサＣとインダクタＬとを直列に接続することで実現されている。電力が２．４ＧＨｚ周波数で導入され、Ｃが２ｐＦであれば、Ｃのインピーダンスは約−ｊ３３Ωとなる。これを、２．２ｎＨのインダクタで補償することができる。これにより、ＣおよびＬは、インピーダンスがほぼ零の直列共振を有する。
【００１６】
この直列接続のインピーダンスは、３Ｔ陽子共振周波数が１２０ＭＨｚであれば約０．５ｋΩ、電気ナイフの動作周波数（３０ＭＨｚ以下）であれば約３ｋΩである。従って、安全上のリスクは最小限に抑えられ、干渉はわずかである。幹線周波数が５０または６０Ｈｚであれば、インピーダンスは１ＧΩを超えるため、幹線電圧による漏れ電流量は最小限に抑えられる。この漏れ電流は更に、Ｃの値を下げ、これに対応してＬの値を増加してこれを補償することにより、更に抑えられる。しかし、実際は、周囲に対するケーブルおよび変換器のキャパシタンスおよび特に検査中である対象のキャパシタンスが著しく大きいため、Ｃの値を下げてもあまり有効ではない。電源回路の入力インピーダンスを、ＣＯＮ１に取付けた伝送ラインのインピーダンスと整合させて、電力をできるだけ有効に伝送しなければならない。通常、同軸ケーブルのインピーダンスは５０または７５Ωである。このため、ＰＳは必要な手段を具備しており、この技術は無線技術分野で周知である。これと同様に、ＢＴとＣＯＮ２接続部との間にアイソレーションを設ける。この方法では、ＣＯＮ１に、例えば同軸ケーブルや他の伝送ラインなどを接続することを考慮しているが、アンテナやＢＴの無線伝送信号を接続することもできる。実際には、磁気共鳴映像法を用いる病院や数多くの工業環境では、干渉が起きるので無線接続の使用は望ましいものではない。ＢＴをアンテナに接続するのであれば、アイソレーションは必ずしも必要ではないが、アンテナが周囲のものと偶発的に接触する可能性があるため、アイソレーションを設けることが望ましい。
【００１７】
別の実施例
簡単な例として、信号の伝送に、振幅変調、周波数変調、位相変調またはパルス速度変調を用い、送信／受信回路ＴＲ１、ＴＲＩ２、ＴＲ３の実現にマイクロ回路ＴＲＦ６９００Ａを用いることができ、送信専用回路としてＴＲＦ４９００を用いることができる。これらのものはどちらも、米国のテキサス・インストルメンツ社（Ｔｅｘａｓ  Ｉｎｓｔｒｕｍｅｎｔｓ）が製造しているものである。動作電圧は２．２〜３．６Ｖであり、必要な動作電流は低い。これらの回路を、小型の２４および４８ピンＴＳＳＯＰおよびＰＱＦＰケースにパッケージする。ベアチップとして入手できる場合、そのサイズは大変小さく、適した接着技術により接着パッドに直接に取り付けることができる。この場合、電力発振器ＰＯＳＣを例えば２．４ＧＨｚで動作させることができ、この周波数動作であれば、低コストのコンポーネントが利用可能である。
【００１８】
例えば、アイソレーションのためなどの理由から、高い周波数で動作させたい場合、送信／受信回路として、米国カリフォルニア州のアラフテック社（Ａｒａｆｔｅｋ  Ｉｎｃ．）が製造する５〜６ＧＨｚ周波数で動作する回路ＡＲ７５０１Ａを利用することができる。
【００１９】
ブルートゥースは、利用可能な規格の１つにすぎない。市場には、他にも適した規格があり、その例はＩＥＥＥ８０２．１１であり、これは、２２メガビット／秒の速度に達することができるバージョンに向けて開発されている。いわゆるＯＦＤＭ解決法（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ、直交周波数分割多重方式）を用いれば、更に速いデータ伝送速度を達成することができる。ＯＦＤＭは、データ伝送時に幾つかの周波数を並列に用いる原理に基づいている。このため、ＯＦＤＭでは、従来のスペクトル拡散の技術などの場合よりも周波数帯域を有効に利用する。
【００２０】
電力を伝送する周波数は以下のように選択する。即ち、アイソレーションＩＳＯＬＡＴＩＯＮとの小さい容量結合を用いて、対象Ｐに結合され且つ以下で有効エネルギーと称されるする電磁エネルギーであって、信号における電磁干渉の原因となり得、かつ記録装置を介して周囲に連結すると安全上の大きなリスクを引き起し得る電磁エネルギーが、アイソレーションＩＳＯＬＡＴＩＯＮを介して流れないようにすることにより、信号に対する妨害や安全上のリスク増加を低く抑えるように、選択する。これは、実際には、電力伝送の周波数として、結合される有効電磁エネルギーの最高周波数よりも大幅に高い周波数を選択しなければならないということである。一般に、周波数が１０違えば、十分な減衰が得られる。従って、例えば、３Ｔ磁気共鳴映像法の場合、１ＧＨｚを超える伝送周波数を用いることができる。
【００２１】
アイソレーションを、変換器を用いて実現してもよい。この場合、注文設計の変換器コンポーネントでも既製の変換器コンポーネントでもよく、変換器製造業者の例としては、米国のミニ・サーキッツ社（Ｍｉｎｉ  Ｃｉｒｃｕｉｔｓ）が挙げられる。
【００２２】
変換器Ｔ１、Ｔ２、ＴＮは、電極などの受動型でもよく、また、例えば、ひずみゲージ、圧力変換器、線形変換器、ホール効果変換器などの能動型でもよい。大半の場合、これらにはアイソレーションを介して電力を供給するようにする。信号調整手段ＳＣも、能動型または受動型のいずれでもよい。受動型ＳＣの一例は、抵抗器とコンデンサで作られた簡単な低域通過フィルタである。本発明のそれぞれの実施に必ずしもＳＣ手段が必要なわけではない。
【００２３】
アイソレーションＩＳＯＬＡＴＩＯＮを介したエネルギーの伝送が必要であるため、アイソレーションの後ろの電子回路に必要な電力をできる限り少なくしておくとが望ましいことが多い。
【００２４】
図５は、本発明による記録装置を示す図である。対象Ｐ（ヒト）が磁気共鳴映像装置で検査されている。図５では、磁石ＭＡＧＮＥＴと、周囲の遮蔽された部屋ＳＨＩＥＬＤとだけを示している。スキャンの間に、Ｐの身体からは、ＥＣＧ、ＥＥＧ、ＥＭＧ、パルスオキシメトリ、呼吸、目の動き、血圧、呼吸ガスなどのさまざまな信号が得られる。その記録は、例えば皮膚電極とすることができる変換器Ｔ１およびＴ２で行われる。Ｔ１およびＴ２は、記録ユニットＴＲＩ１およびＴＲＩ２に接続される。ＴＲＩ１およびＴＲＩ２は、伝送ラインＴＬ１およびＴＬ２（伝送ライン）を介して分割回路ＳＰＬ１に接続されており、この回路は更に、伝送ラインＴＬＳに接続され、これはフィルタＦＩＬＴＥＲを通して遮蔽室ＳＨＩＥＬＤの壁を通過し、主記録ユニットＲＥＧＩＳＴＲＡＴＩＯＮに接続され、必要であれば、処理されたデータＤＡＴＡを更に先へ伝送することができる。この図ではまた、伝送ラインＴＬＳ上にフェライトＦＥＲがあることがわかる。フェライトを配置しているのは、伝送ラインＴＬＳに沿って結合されるコモンモード干渉を減衰させるためである。本発明の装置では、互換性の改良にさまざまな方法でフェライトコンポーネントを利用することができる。なぜなら、伝送ラインが、有利なことに、例えば同軸ケーブルのように、信号およびリターン電流用の導体を含む構造に実現されるからである。
【００２５】
図６は、本発明による１つの装置における動作をより詳細に示す。このＲＥＧＩＳＴＲＡＴＩＯＮ（記録）ユニットは電力増幅器ＰＡを含む。この増幅器は、伝送ラインＴＬＳに接続され、これに電磁エネルギーを周波数２．４ＧＨｚなどで供給する。小型で安定しており、しかも比較的強力（８００ｍＷにものぼる）な適した集積回路ＰＭ２１１７が、米国カリフォルニア州サニベルのパシフィック・モノリシックス社（Ｐａｃｉｆｉｃ  Ｍｏｎｏｌｉｔｈｉｃｓ  Ｉｎｃ．）で製造されている。この周波数は、例えば、磁気共鳴映像ユニットの３Ｔでの陽子共振周波数などより約２０倍も高いため、コンデンサを用いるだけで記録ユニットに容易にアイソレーションを設けられるものであり、これのために、ＴＲＩにおける専用のスペースＩＳＯＬＡＴＩＯＮ（アイソレーション）がある。ＩＳＯＬＡＴＩＯＮを通過したエネルギーから、ＴＲＩは駆動エネルギーを取り、この管理は、電源ユニットＰＳにより行われる。
【００２６】
アイソレーションを、装置の他の部分において実現してもよいことに留意されたい。アイソレーションを、容量的にエネルギーの伝送が行われる部分のあるケーブルなどのような伝送ラインに配分することができる。アイソレーション手段として、変圧器も、変圧器とコンデンサとの組合わせも適している。同じ伝送ラインを介して、記録した信号を伝送することもできる。この目的のために、ＴＲＩはＴＸ／Ｒユニットを含む。このユニットは受信器Ｒも具備し得ることに留意されたい。この受信器により、例えば、制御情報および校正情報を受信することができる。ＴＲＩはまた、変換器Ｔから得た信号を変調器Ｍのために処理する信号回路ＳＣ（信号調整）を含む。変調器ＭはＴＸ／Ｒユニットを駆動するものである。変調としては、いわゆるスペクトル拡散技法を用いることができる。器具の動作の大半を、主に無線ＬＡＮ用に設計されたいわゆるブルートゥース技法を用いて行うことができる。この目的のために、ＴＲＩは、ＴＬＳとＴＸ／Ｒ回路を整合させる整合回路を含む。ＴＬＳを同軸ケーブルにしてもよく、同軸ケーブルであれば、駆動電力と信号エネルギーとの周囲へのいかなる結合も効率よく防止できる。信号の伝送は無線でもできるが、この用途では、無線周波数エネルギーを伝送ライン内に維持しておくことが最も好ましいことに、十分留意されたい。これが望ましい環境は、病院の救急治療部および集中治療室である。
【００２７】
スペクトル拡散技法の代わりに、いわゆる超広域帯域幅変調を用いることもできる。この技法における信号変調は大変短いパルスからなり、その帯域幅は数ギガヘルツ、通常１〜３ＧＨｚである。この場合、信号は時間スペースでノイズに似ているが、他の器具を大きく妨害することはない。
【００２８】
これに対応して、ＲＥＧＩＳＴＲＡＴＩＯＮ（記録）ユニットは、信号の送信および受信用にＴＸ／Ｒ／ＣＵユニットを含む。これらの信号は、信号処理装置ＳＰＵへ伝導され、そこから、処理された情報データＤＡＴＡとしてその先へ伝送される。データは、単なるステータスでも、警報情報でも、または、より複雑なリアルタイム信号であってもよいことに留意されたい。このデータは表示手段へ伝導されるか、または、磁気共鳴映像ユニットの動作などの制御に用いられてもよい。この種の動作の一例が、撮影イベントを、対象の心臓の機能位相と同期させること（心拍ゲート（Ｃａｒｄｉａｃ  Ｇａｔｉｎｇ））である。データを、脳の機能のマッピングの研究の一部とすることもできる。この種の研究では、データは、機能する磁気共鳴映像法で得られた情報と組み合わせられる。本発明の用途は磁気共鳴映像法の制御に限定されるものではなく、他の診断または治療用の測定の動作の制御にも適用可能である。その例として、脳手術、麻酔の調節、リハビリの調節などが挙げられる。
【００２９】
図３は、本発明の装置により、いかに測定システムに多様性を持たせられるかということを示している。スプリッタを用いれば、数本の伝送ラインＴＬ１、ＴＬ２を接続して、そこに数個の記録ユニットＲＴ１およびＲＴ２をそれぞれ接続することができる。
【００３０】
本発明の利点を要約すると、以下のようである。
伝送ラインを介して、必要な駆動エネルギーを伝導することができ、また、信号およびノイズの周波数より明らかに高い伝送周波数を選ぶことにより、例えばコンデンサを用いて、必要なアイソレーションを簡単に実現することができる。本発明の解決策では、このアイソレーションにより、伝送ラインを伝播するコモンモード電流を低く抑えることができる。記録時に発生する干渉もそれぞれ最小限に抑えられる。同じ伝送ラインを用いて、信号情報を中央ユニットへ伝送することもできる。伝送されるエネルギーを用いて、例えばスペクトル拡散変調などの適切な変調を用いて、高い情報伝送性能が得られる。更に、スプリッタを用いれば、幾つかの記録ユニット用に伝送ラインを分割することができる。用いる変調技法に応じて、数個のユニットが使用される。この用途に適したケーブルは、米国のダブリュー・エル・ゴア・アンドアソシエーツ社（Ｗ．Ｌ．Ｇｏｒｅ  ａｎｄ  Ａｓｓｏｃｉａｔｅｓ  Ｉｎｃ．）およびマイクロ−コアクス社（Ｍｉｃｒｏ−Ｃｏａｘ  Ｉｎｃ．）で製造されている。別々の伝送ラインの間で信号を分割するのに適したコンポーネントは、米国のミニ・サーキット社（Ｍｉｎｉ  Ｃｉｒｃｕｉｔｓ  Ｉｎｃ．）で製造されている。ブルートゥースのコンポーネントは、例えば、スウェーデンのエリクソン・エービー社（Ｅｒｉｃｓｓｏｎ  ＡＢ）で製造されている。本発明の用途に適したブルートゥースモジュールは、例えば日本の太陽誘電社（Ｔａｉｙｏ  Ｙｕｄｅｎ）から製造されている。この製造業者は、移動電話での用途および本発明の用途に適したモジュールを製造しており、そのモジュールのサイズは１５×１４×２．２ｍｍである。この製造業者はまた、ＦＬＡＳＨメモリおよびＵＳＢおよびＵＡＲＴ接続部を備えたモジュールも製造している。このモジュールは、図３の送信／受信回路ＴＲ３として適切である。スプリッタを設けた伝送ラインは、患者用ベッドのフレームに提供することができる。フレームに伝送ラインを少なくとも部分的に提供できるところにおける、もう１つの利点のある医療技術器具は麻酔の機械である。これの応用により必要なケーブル数を削減することができ、これが本発明のもう１つの利点である。
【００３１】
図７は、対象Ｐから脳の電気的活動を多チャネル様式で記録する、本発明の１つの解決策を示す。対象Ｐ上に電極ＥＬＥＣＴＲＯＤＥが取り付けられ、これらの電極は増幅器ＡＭＰＬＩＦＩＥＲに接続される。これらは、多重化回路ＭＵＸを介して、アナログ／デジタル変換器ＡＤＣへ接続される。ＡＤＣ回路から、信号が処理装置ＲＭＣ（記録マイクロコントローラ）へ伝導され、ここで必要な情報を、例えばいわゆるＦＬＡＳＨメモリなどの半導体メモリとすることのできるメモリ手段ＭＥＭＯＲＹへ格納する。処理装置回路ＲＭＣから、情報は、伝送および変調手段ＴＲＡＮＳＣＥＩＶＥＲへ伝導され、これをブルートゥースの概念と合致させることができる。この装置全体に対する電源電圧ＶＣＣは、電源手段ＰＳ（電源）により提供され、この手段は調節器手段ＰＳＣ（電源コントローラ）を含むことができる。
【００３２】
上述した手段を、アイソレーション手段ＩＳＯＬＡＴＩＯＮを介して伝送ラインＴＬ１およびＴＬ２に接続する。図５に示すように、手段ＩＳＯＬＡＴＩＯＮに、キャパシタンス要素Ｃ１およびインダクタンス要素Ｌ１を含めることができる。これらの値は、情報および電力の周波数にて、インピーダンスの低い直列共振を形成するように設定されている。磁気共鳴映像法で使用される励起電力は高いため、特に励起周波数にてアイソレーションのインピーダンスを高める必要があると考えられる。これは、図８に示したように、単に、適したキャパシタンスＣ２を直列のインダクタンスと平行に加えることで達成できる。こうすることにより、上記インダクタンスと上記キャパシタンスとが、インピーダンスの高い直列共振回路を形成する。このキャパシタンスに１対のダイオードＤを直列に接続することができ、これにより、信号レベルが高くない場合にキャパシタンスの結合を防止することができる。
【００３３】
ブルートゥースの伝送容量は７００ｋｂ／秒である。ＥＥＧの多チャネル記録の場合、３２〜１２８個の電極を観察する。サンプリング速度が電極当たり２００Ｈｚであり、分解能が１６ビットであっても、アイソレーションＩＳＯＬＡＴＩＯＮを介して、識別子を伴って１２８チャネルを伝送することができる。ブルートゥースシステムの１つの特徴は、ピコネットワーク（ｐｉｃｏｎｅｔｗｏｒｋ）を形成できることであり、現在は同一ネットワークに７つのユニットを接続できる。ピコネットワークは、更に別のピコネットワークに接続できるものである。このように、システムは、実用的な環境すべてをカバーするように柔軟に拡大することができる。ネットワークは、他の手段でも形成可能であり、その１つが、ＪＩＮＩ原理を用いたＪＡＶＡ（登録商標）ベースのネットワークの形成である。このシステムは、米国のサン・マイクロシステムズ社（Ｓｕｎ  Ｍｉｃｒｏｓｙｓｔｅｍｓ  Ｉｎｃ．）などで開発されている。
【００３４】
一般に、本発明のシステムを、インターネットなどのデータネットワークに接続することができる。この場合、データネットワークを介して、Ａ１、ＡＮ、ＭＵＸ、ＢＴ、ＣＵ、ＴＲ３、ＴＲＩ１、ＴＲＩ２、ＳＣ１およびＳＣ２などのさまざまなブロックの動作を制御して、Ａ１およびＡＮなどの増幅器の利得などのような機能パラメータ、および、信号調整ユニットＳＣ１、ＳＣ２により含められるフィルタのパラメータなどを設定することができる。この場合、例えば、看護士がＥＣＧ電極の１つの弛みに気付いたが、そこから離れた場所にいる場合、この看護士は、増幅器の接続を切るか、または、データネットワークを介して、例えばＷＡＰプロトコルに基づく制御を用いて、その利得を変更することができる。この場合、本発明のシステムを用いれば、作業者の機動力を全て生かすことができ、そして、患者を監視して、必要に応じて本発明のシステム動作を変更することができるようになる。
【００３５】
電力および信号の伝送にあたり、出力電流およびリターン電流が互いに近くを流れることは有利である。言いかえれば、信号電流とリターン（戻り）電流とが伝送ラインで互いに接近しており、同様に、電源の電流とリターン電流とが互いに接近して流れる。従って、対象Ｐからのノイズ電流は、コモンモード電流として流れる。コモンモード電流に対するインピーダンスを高めるために伝送ラインに何か材料を付加することにより、ノイズ電流の経路のインピーダンスを有利に追加することができる。その適した材料の一例が、オランダのフィリップス社（Ｐｈｉｌｉｐｓ）などが製造しているフェライトなどである。フェライトをケーブルの絶縁に混合することにより、伝送ラインＴＬケーブルのジャケットの一部にフェライトを付加することができる。フェライト材料を磁気共鳴映像装置の近くで限定的な様式でのみ使用することができるが、本発明の他の用途の大半ではこのような限定はない。図５は、フェライトＦＥＲの使用例を示す。コモンモード電流のインピーダンスは、空芯のコイルをケーブルから巻いて伝送ラインのインダクタンスを高めることにより、上昇させることもできる。
【００３６】
増幅器ＡＭＰＬＩＦＩＥＲを電極ＥＬＥＣＴＲＯＤＥに隣接して配置できることに留意されたい。こうすることにより、電極と増幅器との間の接続部における干渉の結合を低減することができる。磁気共鳴映像法で用いる材料は、できるだけ弱く磁化したものでなければならない。これは、磁化した材料が磁界を不均一にして、最終的に得られる画像に歪みが生じるからである。
【００３７】
システムの動作時、ＰＡの伝送をパルス化することができ、それらのパルスの間に、記録ユニットＲＴ１およびＲＴ２からの情報伝送を行う。これらの伝送は、それぞれの時に限定数、例えば１つ、の記録ユニットのみが活動状態にあるように、行うことができる。そのタイミングは、ＲＥＧＩＳＴＲＡＴＩＯＮ（記録）ユニットより調節することができ、または、活動状態のユニットが伝送時に伝送ラインＴＬ１、ＴＬ２、ＴＬＳを使用できるように確保し、後続のユニットＲＴがその伝送ラインの解放を待つ。この目的のために、記録ユニットは、半導体メモリ、ＦＬＡＳＨ（フラッシュ）メモリまたは対応するデバイスなどのようなメモリ手段を具備している。ＰＡの出力レベルを一定にし、帯域幅を狭く且つ使用している信号帯域外に有利に保つことができる場合も多い。また、ＲＴ１およびＲＴ２に、スーパーキャパシタなどのエネルギー貯蔵部を含めることもできる。スーパーキャパシタは伝送用エネルギーをＲＴ１およびＲＴ２に供給するものであり、エネルギー貯蔵部内のエネルギー量が特定量を下回った場合に、ＲＴ１およびＲＴ２が、電力を更に送るようにＰＡへ信号を送信する。エネルギー貯蔵部内のエネルギー量は、エネルギー貯蔵部として機能するコンデンサの端子電圧を用いてチェックすることができる。
【００３８】
図８は、コイルＬ１とコンデンサＣ１とを直列に接続して実現したアイソレーションＩＳＯＬＡＴＩＯＮを示す。これに加えて、Ｌ１に並列に１対のダイオードＤ１およびコンデンサＣ２が結合されており、この結合は、高レベルで、Ｄ１が導通状態になると、Ｃ２およびＬ１が高インピーダンスの並列の共振回路を形成し、そして、この周波数における信号のアイソレーションの通過を阻止するか又は少なくとも信号強度を減衰させるようにされている。Ｄが省かれると、上述した信号レベルの依存関係は存在しない。
【００３９】
図９は、一例として、先端部ＴＩＰに検出ユニットが具備されたカテーテルなどのような血管検査用の器具を示しており、それには、アイソレーションＩＳＯＬＡＴＩＯＮ、電力手段Ｄ１およびＣ１、増幅器などの信号調整手段ＳＣ、およびＮＭＲコイルなどの変換器ＴＲＡＮＳが含まれている。本体ＣＡＴは伝送ラインとして機能するものであり、これを、アイソレーションを向上させるために幾つかの容量的に結合された部分で構成することができる。カテーテルＣＡＴに沿って、オーバーハウザー効果を利用した磁気共鳴映像法を実施している間のカテーテルの先端部での視認性を改良するためにエネルギーを供給することができる。この場合、参考文献Ｓｅｐｐｏｎｅｎ  ＵＳ５２１１１６６に記載の技術を利用してもよい。また、器具の或る部分の位置付け用に、電子スピン共鳴を用いてもよい。その場合、ＣＡＴおよびＴＩＰは、上記参考文献およびそれに基づいたその後の文献に記載されている必要な手段を含む。ＣＡＴを、表面コイルまたは内部コイルの一部などのような、磁気共鳴映像法で用いられる信号手段の一部としてもよい。
【００４０】
ＴＩＰはまた、ＣＭＯＳ変換器のＣＣＤなどのような画像生成手段を含むことができる。こうすると、例えば内視鏡検査や口内Ｘ線撮影に使用することができる。ＴＩＰならびに他の記録ユニットにはまた、血管内の血栓除去用にレーザダイオードやドリルなどの手術手段を含めることもできる。他に含められる手段の例として、オーバーハウザー現象を発生させる手段や電子スピン共鳴を検出する手段が挙げられる。更に、手術手段に、光ダイオードなどの照明手段を含めることもできる。手術手段にはまた、ハイパーサーミア（高熱）療法を適用するための手段を含めることもできる。手術手段用の電力は、本発明によるアイソレーションを介して伝導される。
【００４１】
図１０は、患者用ベッドＢＥＤを示し、このベッドのフレームに、本発明の手段ＣＵ、ＴＬ１および変換器ユニットＴＵ１およびＴＵ２が取付けられている。ＴＵ１およびＴＵ２を、例えば、ＥＣＧ用および血液の酸素飽和度用の変換器ユニットにすることができる。ＣＵは、無線または有線の所望される方法で通信路ＣＰ１を介して中央患者モニタリングユニットＣＰＭに接続されている。ＣＰＭには、必要な警報機能、信号伝送機能、およびその他の機能をインストールしておく。以下に、本発明による１つの有利な様式を説明する。本発明によれば、変換器ＴＵ１およびＴＵ２を事実上ＣＵに接続することができる。ベッドが固定状態であれば、これを無線で病院のＬＡＮに接続することができる。この間、エネルギーはメイン（本線）コンセントから得るようにする。ベッドが移動されている場合、エネルギーはＣＵのバッテリユニットから得る。本発明のシステムは、有利なことに、装置のフレーム、器具および部屋に組み込むことができる。その例として、麻酔器、救急車、自動車、手術室、医療撮影装置および産業用ロボットが挙げられ、これらは品質管理およびそれに関連する電子測定に使用される。
【００４２】
図１１は、一例として、消防士の防護服、ダイビングスーツ、スポーツ用衣類、悪天候用にデザインされた衣類、または研究目的の衣類などを示す。衣服に中央ユニットＣＵが配置されており、ＣＵは、電池または太陽電池などのような他のタイプの電源を含む。
【００４３】
システムは、複数個の変換器を素早く接続および切断できるようにする解決策を提供するものでなければならない。実行できる１つの解決策を図１２に示す。図示した解決策では、伝送ラインＴＬに、相互に接続可能な２つの部分を含むコネクタが具備されている。このコネクタにおいて、雄型部分は、強磁性中間部ＭＧ１と、内側導体ＩＣ１と、ＩＣＩと外側導体ＯＣ１との間の絶縁体ＩＮＳ１と、遮蔽層ＳＨ１とで構成されている。図１２は、このコネクタ部分の上面図（上方）と、横断側面図（下方）とを示す。これに対応して雌型部分は、磁石部ＭＧ２と、内側導体ＩＣ２と、絶縁体ＩＮＳ２と、外側導体ＯＣ２と、遮蔽層ＳＨ２とで構成される。このコネクタは、少なくともどちらか一方が永久磁石材料を含むＭＧ１およびＭＧ２が接続時に相互に引き合い、そしてコネクタの導体ＩＣ１、ＩＣ２およびＯＣ１、ＯＣ２が導電接触または容量接触する。接触部に、導電性コンポーネントおよび容量性コンポーネントを同時に具備することもできる。この種のコネクタは、例えば、心拍数の変換器をガスボトルの圧力の変換器に接続するためのシステムに接続するために使用することができるものである。コネクタは、ネジ固定具、バイオネット固定具、ベルクロ（登録商標）ストラップなどの保持手段を装備することができ、また、さまざまなタイプのベイルなどの手段を装備することができる。本発明による装置では、使用時の要望をできる限り満たす様々なタイプのコネクタを使用することができる。
【００４４】
本発明によれば、変換器および中央ユニットを、インターネットプロトコルを用いてアドレスし、そのプロトコルを用いて制御することができる。この目的のために、このユニットは必要な手段を具備する。モバイル装置で用いられるＷＡＰプロトコルも使用可能であり、これと平行して、ＩＰプロトコルを使用することもできる。本発明はこれらのプロトコルに限定されるものではなく、本発明の装置を他のオープンまたはクローズのプロトコルや、アプリケーションに特化したプロトコルを用いることができる。
【００４５】
上述の例は医療技術に関するものであるが、本発明の解決策は、数多くの器具関連の問題に適用可能である。例えば、誘導加熱器、Ｘ線装置などの高電圧装置、電気モータ、自動車、航空機などは、計測システムを有しており、本発明の装置をこれらに用いれば、その動作性能を大幅に改善することができる。
上記の説明は、本発明の実施例の幾つかを示したにすぎない。本発明は、上述のものに限定されるものではなく、添付した請求の範囲に記載された本発明の範囲内で本発明を用いて、上記以外の数多くの実施が可能である。
【図面の簡単な説明】
【００４６】
【図１】図１は、例えば医療計測システムなどでマルチパラメータの記録を実現する現在の仕方を示す。
【図２】図２は、本発明による実現の仕方を示す。
【図３】図３は、本発明による装置を示すブロック図で示す。
【図４】図４は、本発明による装置の記録ユニットをブロック図で示す。
【図５】図５は、本発明による装置を磁気共鳴映像ユニットと共に使用する場合を示す。
【図６】図６は、本発明による装置をブロック図で示す。
【図７】図７は、多チャネルＥＥＧ、すなわち脳からの電気信号を記録するための本発明による装置を示す。
【図８】図８は、アイソレーション部分の別り実現の仕方を示す。
【図９】図９は、例えばヒト体の内部からのＮＭＲ信号の記録などに適用可能な本発明による装置の実現の仕方を示す。
【図１０】図１０は、患者のベッド構造を利用して患者をモニタする本発明による装置の適用例を示す。
【図１１】図１１は、衣服で実現した本発明による装置を示す。
【図１２】図１２は、本発明による装置に適用可能なコネクタの実現例を示す。
【図３】
2004527843.tif 000003
【図４】
2004527843.tif 000004
【図１２】
2004527843.tif 000005
【国際公開パンフレット】
2004527843.tif 000006
2004527843.tif 000007
2004527843.tif 000008
2004527843.tif 000009
2004527843.tif 000010
2004527843.tif 000011
2004527843.tif 000012
2004527843.tif 000013
2004527843.tif 000014
2004527843.tif 000015
2004527843.tif 000016
2004527843.tif 000017
2004527843.tif 000018
2004527843.tif 000019
2004527843.tif 000020
2004527843.tif 000021
2004527843.tif 000022
2004527843.tif 000023
2004527843.tif 000024
2004527843.tif 000025
2004527843.tif 000026
2004527843.tif 000027
2004527843.tif 000028
2004527843.tif 000029
2004527843.tif 000030
2004527843.tif 000031
2004527843.tif 000032
2004527843.tif 000033
2004527843.tif 000034
【国際調査報告】
2004527843.tif 000035
2004527843.tif 000036